(57)【要約】【課題】高周波差動信号の伝送特性に優れるともに取扱性の改善された差動信号伝送用ハーネスを提供することにある。【解決手段】複数本の信号ケーブル（１）、および各信号ケーブルの両端末部の導体（１ｂ）を固着するための端子部（３）を含むハーネスにおいて、複数本の信号ケーブル（１）の少なくとも一部に、高周波差動信号を伝送するための３本ツイスト撚りケーブル（２）を配する。【選択図】  図１
2005019345.tif 000002
【特許請求の範囲】
【請求項１】
複数本の信号ケーブル、および各信号ケーブルの両端末部の導体を固着するための端子部を含むハーネスにおいて、該複数本の信号ケーブルの少なくとも一部に、高周波差動信号を伝送するための３本ツイスト撚りケーブルが配されていることを特徴とする差動信号伝送用ハーネス。
【請求項２】
該信号ケーブルの導体径が０．０９ｍｍ〜０．５ｍｍの範囲にある請求項１に記載の差動信号伝送用ハーネス。
【請求項３】
該３本ツイスト撚りケーブルの撚りピッチが３ｍｍ〜２０ｍｍの範囲にある請求項１または２に記載の差動信号伝送用ハーネス。
【請求項４】
１０  Ｍ  Ｈｚ〜  ２０００Ｍ  Ｈｚの範囲にある高周波差動信号の周波数を伝送するのに有用な、請求項１〜３のいずれかに記載の差動信号伝送用ハーネス。
【発明の詳細な説明】
【０００１】
【発明の属する技術分野】
本発明は、差動信号伝送用ハーネス、特に高周波差動信号を伝送するのに有用なハーネスに関する。
【０００２】
【従来の技術】
近年、パソコン等の電子機器の高速化と相俟って採用する信号の伝送速度も高速化し併せて、使用する信号の種類も増加してきている。このような要求に応えるため、２本の信号ケーブルにドレイン線を引き揃え、それらの外周をアルミテープ等の金属テープで一括被覆してなる差動信号伝送用ケーブルを配したハーネスが知られている。
しかしながら、このハーネスでは、金属テープによる一括被覆に因るためか、信号波形に“なまり”が発生し、特に高周波差動信号に対する伝送特性が未だ充分ではない。同時に、金属テープによる被覆のため、ケーブル全体として可撓性もなく、ハーネスへの取付時に支障をきたしていた。
【０００３】
【発明が解決しようとする課題】
したがって、本発明の課題は、上記の問題点を解消することにより、高周波差動信号に対する伝送特性に優れるとともに取扱性の改善された差動信号伝送用ハーネスを提供することにある。
【０００４】
【課題を解決するための手段】
本発明者等は、高周波差動信号を伝送する信号ケーブルとしてドレイン線を含めた３本撚り構造に着目した結果、従来の問題を容易に解消できることを究明した。
かくして、本発明によれば、複数本の信号ケーブル、および各信号ケーブルの両端末部の導体を固着するための端子部を含むハーネスにおいて、該複数本の信号ケーブルの少なくとも一部に、高周波差動信号を伝送するための３本ツイスト撚りケーブルが配されていることを特徴とする差動信号伝送用ハーネスが提供される。
【０００５】
【発明の実施の形態】
以下、本発明を、独立した３本の信号ケーブル（単線）と、３本ツイスト撚りケーブル２組とを併用した差動信号伝送用ハーネスについて、添付図面を参照しながら説明する。
図１は、本発明にしたがって３本ツイスト撚りケーブルを配した差動信号伝送用ハーネスの一例を示す平面図である。
図２は、図１の３本ツイスト撚りケーブルの横断面図である。
図１〜図２において、（１）は導体（１ａ）と絶縁体（１ｂ）とからなる信号ケーブル、（２）は高周波差動信号を伝送するための、３本の信号ケーブル（１）からなる３本ツイスト撚りケーブル、そして（３）は各ケーブルの両端末部の導体が接続された端子部である。
【０００６】
本発明で特徴的なことは、複数の独立した信号ケーブルの内、差動信号、特に高周波差動信号を伝送するケーブル部分に、３本ツイスト撚りケーブル（図では２組）を配したことに在る。こうすることにより、高周波差動信号がひずむことなく伝送され且つ、ケーブル全体としても撚り構造による可撓性が確保され、取扱性が格段に改善される。
ここで、差動信号用ケーブルとしては、一般にはツイスト撚り、横巻き、さらには編組等が知られているが、本発明においては高周波伝送特性と可撓性とを両立させるため、３本ツイスト撚り構造を採用することが不可欠である。その際、撚りピッチが３ｍｍ〜２０ｍｍの範囲にあるとき、上記の二つの特性がバランス良く両立する。
【０００７】
この３本ツイスト撚りケーブル（２）により、高周波差動信号を伝送する際には、３本の信号ケーブル（１）のうち、任意の２本を高周波差動信号伝送用とし、残り１本をドレイン線として割り当てればよい。また、複数の高周波差動信号を伝送する場合には、伝送する高周波差動信号の数に応じて３本ツイスト撚りケーブル（２）を複数組配置すればよい。また、３本ツイスト撚りケーブル（２）の配置についても特段の制約は無く、自由に配置可能である。
本発明によれば、信号ケーブル（１）の導体（１ａ）の外径が特に０．０９ｍｍ〜０．５ｍｍという極細径であるとき、前記の３ｍｍ〜２０ｍｍの撚りピッチの効果と相俟って、伝送特性並びに可撓性がより改善される。しかもこの効果は、極細同軸ケーブルの３本ツイスト撚りケーブル（２）において理想的にバランスすることも確認された。ここで、前記の導体（１ａ）を被覆する絶縁体（１ｂ）については格別の制約はなく、斯界で採用されているフッ素樹脂、ポリエチレン、さらにはポリスチレン等が採用される。
以上は、通常の２つの位相からなる２値差動信号を伝送するハーネスの例であるが、本発明のハーネスは３つ以上の位相からなる多値差動信号に対しても展開できることは言うまでもない。この場合、本発明の差動信号伝送用ハーネスは、１０  Ｍ  Ｈｚ〜  ２０００Ｍ  Ｈｚの範囲の高周波差動信号に対して有効に機能する。
さらに、本発明の差動信号伝送用ハーネスは、信号形態に応じて、ツインパラレル方式やトリプル方式等周知の信号ケーブルを混在させた複合形態としてもよい。
【０００８】
以下に、本発明の差動信号伝送用ハーネスの一実施例を図１〜図２の場合について示す。
先ず、素線径が１０２μｍの錫めっき軟銅線の７本を同芯撚りした直径が０．３０５ｍｍの極細導体（１ａ）の周りに、絶縁体（１ｂ）としてフッ素樹脂（ＦＥＰ）を被覆して、外径０．４ｍｍ、長さ２４０ｍｍの信号ケーブル（１）を９本用意した。次に、これらケーブルの内、６本の信号ケーブル（１）を使用して、２種類の高周波差動信号を伝送するための、３本ツイスト撚りケーブル（２）を２組用意した。その際、撚りピッチは１０．６ｍｍとした。最後に、残りの３本の信号ケーブル（１）、および２組の３本ツイスト撚りケーブル（２）の両端末の導体を１．５ｍｍ露出させ、挿入治具で各導体部を９極のナイロン製の圧入端子からなる端子部（３）に挿入して、本発明の差動信号伝送用ハーネスを完成した。
このハーネスに２８０ＭＨｚの高周波差動信号を印加して信号伝送特性の目安となる、アイパターン特性等を測定した。その結果、信号波形の“なまり”はほとんど発生せず、しかも、信号の分離が明確な、優れたアイパターン特性が得られた。
【０００９】
【発明の効果】
本発明の差動信号用ハーネスでは、特に高周波差動信号を伝送するケーブル部分を３本ツイスト撚りケーブル構成とすることで、優れたアイパターン特性が得られ、したがって高周波伝送特性が改善される。同時に、この３本ツイスト撚りケーブルは撚り構造で形態が保持されるので、従来の金属テープによる一括被覆では得られなかった可撓性が実現され、ハーネス組立時の作業性も格段に改善される。
【図面の簡単な説明】
【図１】本発明の、３本ツイスト撚りケーブルを含む差動信号伝送用ハーネスの一例を示す平面図である。
【図２】図１の３本ツイスト撚りケーブルの横断面図である。
【符号の説明】
１                信号ケーブル（単線）
１ａ                導体
１ｂ            絶縁体
２            ３本ツイスト撚りケーブル
３                      端子部
【図１】
2005019345.tif 000003
【図２】
2005019345.tif 000004